【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
信号処理ユニットを含むサウンド再生装置であって、
前記信号処理ユニットは、オーディオ出力デバイスに接続される出力端子を有し、
前記信号処理ユニットは、ヘッドトラッキングデバイスに接続される入力端子を有し、
前記信号処理ユニットは、位置決めされた複数のマイクロホンの出力を表す信号を受信して、聴取者の頭部が音場内で前記複数のマイクロホンの位置に置かれている場合に、前記聴取者の耳の可能な位置を表す点で前記音場をサンプリングするように構成されており、
前記信号処理ユニットが、前記ヘッドトラッキングデバイスによって示される前記聴取者の頭部の方位に応答して、前記マイクロホンの出力信号を処理し、そして、前記オーディオ出力デバイスにバイノーラル出力を提示するように構成されている
ことを特徴とする装置。
【請求項２】
前記信号は、前記聴取者が位置し、聴取者の頭部を回転させることができる場合に、前記聴取者の耳が置かれるであろう複数の位置の点Ｎにおいて、音場をサンプリングするために配置されたＮ個のマイクロホンを用いて生成され、
前記ヘッドトラッキングデバイスは、前記聴取者の頭部の回転を監視し、そして、聴取者の耳が、最も近いマイクロホンと、その次に近いマイクロホンとの間に丁度位置するであろう点において、前記聴取者の耳の実際の位置を決定するように構成されている、請求項１に記載の装置。
【請求項３】
前記信号処理ユニットは、位置決めされた複数のマイクロホンの出力を表す信号を受信して、聴取者の頭部が音場内で前記複数のマイクロホンの位置に置かれている場合に、前記聴取者の右耳及び左耳の可能な位置を表す点で前記音場をサンプリングするように構成されており、
前記信号処理ユニットが、前記ヘッドトラッキングデバイスによって示される前記聴取者の頭部の方位に応答して、マイクロホンの出力信号を組み合わせ、そして、前記オーディオ出力デバイスにバイノーラル出力を提示するように構成されている
ことを特徴とする、請求項１又は２に記載の装置。
【請求項４】
聴取者の頭部が音場内で複数のマイクロホンの位置に置かれている場合に、聴取者の耳の可能な位置を表す点で前記音場をサンプリングするように位置決めされた複数のマイクロホンと、
信号処理ユニットと
を含む、動的なバイノーラルサウンドを取り込み、そして、再生するための装置であって、
前記信号処理ユニットは、オーディオ出力デバイスに接続される出力端子を有し、
前記信号処理ユニットは、ヘッドトラッキングデバイスに接続される入力端子を有し、
前記信号処理ユニットは、前記ヘッドトラッキングデバイスによって示される前記聴取者の頭部の方位に応答して、マイクロホンの出力信号を処理し、そして、前記オーディオ出力デバイスにバイノーラル出力を提示するように構成されている
ことを特徴とする装置。
【請求項５】
前記信号処理ユニットは、前記聴取者の頭部が前記音場内で前記マイクロホンの位置に置かれている場合に、前記音場内の前記聴取者の耳の位置に関して最も近いマイクロホン及び次に近いマイクロホンからの前記出力を表す信号を組み合わせるように構成されている、請求項１又は４に記載の装置。
【請求項６】
前記信号処理ユニットが、
前記マイクロホンの出力信号の各々に関連付けられた低域フィルタと、
前記低域フィルタの出力を組み合わせて、前記聴取者の耳用の組み合わされた出力信号を生成するための手段であって、前記組み合わされた出力信号が、前記聴取者の頭部が前記音場内で前記マイクロホンの位置に置かれている場合に、前記音場内の前記聴取者の耳の位置に関して最も近いマイクロホン及び次に近いマイクロホンからの前記出力を表す信号の組合せを含んでいるところの手段と
を含む、請求項１又は４に記載の装置。
【請求項７】
前記音場内に置かれる相補型マイクロホンと、
前記相補型マイクロホンから出力信号を提供するように構成された高域フィルタと、
前記高域フィルタからの前記出力信号を、前記聴取者の耳用の前記組み合わされた出力信号と組み合わせる手段と
を含む、請求項６に記載の装置。
【請求項８】
前記低域フィルタによって除去された高周波数内容が、再挿入される、
請求項７に記載の装置。
【請求項９】
前記複数のマイクロホンは、聴取者の頭部が音場内で複数のマイクロホンの位置に置かれている場合に、聴取者の左耳及び右耳の可能な位置を表す点で前記音場をサンプリングするように位置決めされており、
前記信号処理ユニットは、前記ヘッドトラッキングデバイスによって示される前記聴取者の頭部の方位に応答して、マイクロホンからの前記出力信号を組み合わせ、そして、前記オーディオ出力デバイスにバイノーラル出力を提示するように構成されている
ことを特徴とする、請求項４に記載の装置。
【請求項１０】
前記マイクロホンが、前記聴取者の頭部の半径と近似する半径を有する、表面に沿った環状アレイ内で位置決めされる、請求項９に記載の装置。
【請求項１１】
前記信号処理ユニットは、前記聴取者の頭部が前記音場内で前記マイクロホンの位置に置かれている場合に、前記音場内の前記聴取者の左耳の位置に関して最も近いマイクロホン及び次に近いマイクロホンからの出力を表す信号を組み合わせるように構成されており、そして、
前記信号処理ユニットは、前記聴取者の頭部が前記音場内で前記マイクロホンの位置に置かれている場合に、前記音場内の前記聴取者の右耳の位置に関して最も近いマイクロホン及び次に近いマイクロホンからの前記出力を表す信号を組み合わせるように構成されている、
ことを特徴とする、請求項３又は９に記載の装置。
【請求項１２】
前記信号処理ユニットが、
前記マイクロホンの出力信号の各々に関連付けられた低域フィルタと、
前記低域フィルタの出力を組み合わせて、前記聴取者の左耳用の組み合わされた出力信号を生成するための手段であって、前記組み合わされた出力信号が、前記聴取者の頭部が前記音場内で前記マイクロホンの位置に置かれている場合に、前記音場内の前記聴取者の左耳の位置に関して最も近いマイクロホン及び次に近いマイクロホンからの前記出力を表す信号の組合せを含んでいるところの手段と、
前記低域フィルタの出力を組み合わせて、前記聴取者の右耳用の組み合わされた出力信号を生成するための手段であって、前記組み合わされた出力信号が、前記聴取者の頭部が前記音場内で前記マイクロホンの位置に置かれている場合に、前記音場内の前記聴取者の右耳の位置に関して最も近いマイクロホン及び次に近いマイクロホンからの前記出力を表す信号の組合せを含んでいるところの手段と
を含む、請求項３又は９に記載の装置。
【請求項１３】
前記信号処理ユニットが、
前記音場内に置かれた左耳相補型マイクロホンからの出力を提供するように構成された左耳高域フィルタと、
前記音場内に置かれた右耳相補型マイクロホンからの出力を提供するように構成された右耳高域フィルタと、
前記左耳高域フィルタからの前記出力を、前記聴取者の左耳用の前記組み合わされた出力と組み合わせる手段と、
前記右耳高域フィルタからの前記出力を、前記聴取者の右耳用の前記組み合わされた出力と組み合わせる手段と
を含む、請求項１２に記載の装置。
【請求項１４】
前記低域フィルタによって除去された高周波数内容が、再挿入される、
請求項１３に記載の装置。
【請求項１５】
前記相補型マイクロホンが、本質的に、前記複数のマイクロホンにおける前記マイクロホンとは異なるマイクロホン、前記複数のマイクロホンにおける前記マイクロホンのうちの１つ、前記複数のマイクロホンのうちの複数の動的に切り替えられるマイクロホンからの信号から生成される仮想マイクロホン、及び、前記複数のマイクロホンのうちの２つのマイクロホンからの信号のスペクトル補間によって生成される仮想マイクロホンからなる群から選択される実際の又は仮想的なマイクロホンを含む、請求項７又は１３に記載の装置。